(57)【要約】【課題】照明装置の利用時において発生する熱によって不具合等が生じることを抑制する。【解決手段】キャビネット本体３と、照明装置４とを備える。照明装置４は、点光源と、点光源が設けられた回路基板４４０と、導光部材４１を有する。導光部材４１は、キャビネット本体３の前部に設けられ、縦長で、前面が出光部４１２となり且つ上端部が点光源から照射された光が導入される入光部４１０となり、入光部４１０から導入された光を前側に反射して出光部４１２から出射する。また、照明装置４は、回路基板４４０に熱的に接続された放熱板４６を有し、放熱板４６がキャビネット本体３の上面に設けられる。【選択図】図１
2014192072.tif 000002
【特許請求の範囲】
【請求項１】
キャビネット本体と、
照明装置とを備え、
前記キャビネット本体に前方に開放された収納空間が形成され、
前記照明装置は、
点光源と、
この点光源が設けられた回路基板と、
前記キャビネット本体の前部に設けられた導光部材とを有し、
前記導光部材は、縦長で、前面が出光部となり且つ上端部が前記点光源から発せられた光が導入される入光部となり、前記入光部から導入された光を前側に反射して前記出光部から出射するものであり、
さらに前記照明装置が前記回路基板に熱的に接続された放熱部を有し、この放熱部が前記キャビネット本体の上面に設けられたことを特徴とするキャビネット。
【請求項２】
前記放熱部の直下に前記キャビネット本体の外方に開放された空間が形成され、前記キャビネット本体に前記収納空間が左右に複数並べて設けられ、前記キャビネット本体において左右に並ぶ前記収納空間の間の部位に、縦長で前方に開口する収納溝が設けられ、この収納溝に前記導光部材が配置され、前記収納溝内における前記導光部材の後側に縦長の通気路が形成され、この通気路の下端部が前記キャビネット本体の外方に開放され且つ上端部が前記放熱部の直下の空間に連通したことを特徴とする請求項１に記載のキャビネット。
【請求項３】
前記回路基板に電気接続された電気機器を備え、この電気機器が前記キャビネット本体の後方に配置されたことを特徴とする請求項１又は請求項２に記載のキャビネット。
【請求項４】
前記キャビネット本体の上面に上方に突出した突出体が設けられ、この突出体の上端が前記放熱部よりも上方に配置されたことを特徴とする請求項１乃至３のいずれか一項に記載のキャビネット。
【請求項５】
前記突出体として、前記キャビネット本体の上面に前記キャビネット本体とは別体のスペーサーが設けられたことを特徴とする請求項４に記載のキャビネット。
【請求項６】
前記点光源が発光ダイオードであることを特徴とする請求項１乃至５のいずれか１項に記載のキャビネット。
【発明の詳細な説明】
【技術分野】
【０００１】
本発明は照明装置を備えたキャビネットに関する。
【背景技術】
【０００２】
特許文献１にはミラーキャビネットが開示されている。このミラーキャビネットは、収納空間が設けられたキャビネット本体と、収納空間を閉塞する開閉自在な鏡板を備えている。鏡板には前方に居る使用者を照らすために、多数の発光ダイオードを有する照明装置が設けられている。
【先行技術文献】
【特許文献】
【０００３】
【特許文献１】特開２００７−９８０３４号公報
【発明の概要】
【発明が解決しようとする課題】
【０００４】
ところで、特許文献１に開示されるミラーキャビネットは、多数の発光ダイオードを発光させたときに生じた熱が籠もり、この熱で照明装置の不具合等が生じる可能性がある。
【０００５】
本発明は上記事情に鑑みてなされたものであって、照明装置の利用時において熱が籠もり難く、照明装置の不具合等が生じ難いキャビネットを提供することを課題とする。
【課題を解決するための手段】
【０００６】
上記課題を解決するために本発明のキャビネットは、キャビネット本体と、照明装置とを備え、前記キャビネット本体に前方に開放された収納空間が形成され、前記照明装置は、点光源と、この点光源が設けられた回路基板と、前記キャビネット本体の前部に設けられた導光部材とを有し、前記導光部材は、縦長で、前面が出光部となり且つ上端部が前記点光源から発せられた光が導入される入光部となり、前記入光部から導入された光を前側に反射して前記出光部から出射するものであり、さらに前記照明装置が前記回路基板に熱的に接続された放熱部を有し、この放熱部が前記キャビネット本体の上面に設けられたことを特徴とする。
【０００７】
また、前記放熱部の直下に前記キャビネット本体の外方に開放された空間が形成され、前記キャビネット本体に前記収納空間が左右に複数並べて設けられ、前記キャビネット本体において左右に並ぶ前記収納空間の間の部位に、縦長で前方に開口する収納溝が設けられ、この収納溝に前記導光部材が配置され、前記収納溝内における前記導光部材の後側に縦長の通気路が形成され、この通気路の下端部が前記キャビネット本体の外方に開放され且つ上端部が前記放熱部の直下の空間に連通することが好ましい。
【０００８】
また、前記回路基板に電気接続された電気機器を備え、この電気機器が前記キャビネット本体の後方に配置されることが好ましい。
【０００９】
また、前記キャビネット本体の上面に上方に突出した突出体が設けられ、この突出体の上端が前記放熱部よりも上方に配置されることが好ましい。
【００１０】
また、前記突出体として、前記キャビネット本体の上面に前記キャビネット本体とは別体のスペーサーが設けられることが好ましい。
【００１１】
また、前記点光源が発光ダイオードであることが好ましい。
【発明の効果】
【００１２】
本発明にあっては、点光源を発光させることで、点光源から照射された光を導光部材の前側に出射して、キャビネット本体の前方を照らすことができる。そして、この点光源を発光させた時において、点光源や回路基板で発生する熱をキャビネットの上面に設けられた放熱部に伝えて放散することができる。このため、点光源や回路基板で発生した熱が籠もり難くなり、熱による照明装置の不具合等を生じ難くすることができる。また、放熱部を利用者の手の届き難いキャビネット本体の上面に設けたことにより、放熱部が利用者に触られ難くなり、これにより安全性を高めることができる。
【図面の簡単な説明】
【００１３】
【図１】本発明の第一実施形態のキャビネットであって、キャビネット本体に照明装置を配置した状態を示した斜視図である。
【図２】同上のキャビネットを具備する洗面化粧台の正面図である。
【図３】同上のキャビネットの水平断面図である。
【図４】同上のキャビネットの一部切欠正面図である。
【図５】（ａ）は図４のＢ−Ｂ断面図であり、（ｂ）は図４のＣ−Ｃ断面図であり、（ｃ）は図４のＤ−Ｄ断面図である。
【図６】同上のキャビネットの背面図である。
【図７】図３のＡ部拡大図である。
【図８】同上の扉を取り付ける前のキャビネットの要部正面図である。
【図９】図８のＥ−Ｅ断面図である。
【図１０】同上の照明装置の斜視図である。
【図１１】同上のベースに取り付けた照明装置の底面図である。
【図１２】同上の照明装置及びベースの分解斜視図である。
【図１３】同上の放熱板カバーを示し、（ａ）は正面図であり、（ｂ）は底面図である。
【図１４】同上のキャビネット本体に照明装置を取り付ける様子を示した斜視図である。
【図１５】第二実施形態のキャビネットの斜視図である。
【図１６】同上のキャビネットを天袋の下方に設置した状態を示す正面図である。
【図１７】図１６のＦ部拡大図である。
【発明を実施するための形態】
【００１４】
以下、本発明を添付図面に基づいて説明する。第一実施形態のキャビネット１は、図２に示されるように、その前面を構成する扉６を鏡扉としたミラーキャビネットである。キャビネット１は洗面台２の上方に設けられ、洗面台２及びキャビネット１で洗面化粧台が構成される。
【００１５】
洗面台２はその後面側を部屋の壁に沿わせた状態で床上に設置される。洗面台２の上部には、上方に開口する洗面ボウル（不図示）が設けられている。洗面台２の上面後端部には、上方に突出した立ち上がり壁部２０が形成されている。立ち上がり壁部２０の前面には洗面ボウルに水を供給する給水部２１と、給水部２１から水を吐出するか否かを切り替えるための操作部２２が設けられている。
【００１６】
キャビネット１は、図３に示されるように、キャビネット本体３、照明装置４、及び扉６を備えている。キャビネット本体３は例えば合成樹脂製である。キャビネット本体３は、後面側を前記部屋の壁に沿わせた状態で壁に固定され、洗面台２の立ち上がり壁部２０の上方に配置される。キャビネット本体３は、洗面台２の立ち上がり壁部２０よりも前方に突出する。
【００１７】
キャビネット本体３は、上面を構成する天井部３０（図１４参照）、下面を構成する底部３１、側面を構成する両側の側壁部３２、及び後面を構成する後壁部３３を有している。
【００１８】
キャビネット本体３には、前方に開放された収納空間３４が複数形成されている。本実施形態では、収納空間３４がキャビネット本体３の左右方向における両側と中央の計三箇所に設けられている。
【００１９】
後壁部３３において両側壁部３２の間の部分の両側には、前方に突出する仕切壁部３５が形成されている。縦長の各仕切壁部３５は、天井部３０から底部３１にまで亘っている。各仕切壁部３５の前面は、天井部３０の前面や底部３１の前面よりも後方に位置している。
【００２０】
以下、図２において紙面左側を右側、紙面右側を左側として説明する。図３に示されるように、キャビネット本体３の左側の収納空間３４は、左側の側壁部３２、左側の仕切壁部３５、天井部３０、及び底部３１によって囲まれた空間である。右側の収納空間３４は、右側の側壁部３２、右側の仕切壁部３５、天井部３０、及び底部３１によって囲まれた空間である。中央の収納空間３４は、両仕切壁部３５、天井部３０、及び底部３１によって囲まれた空間である。すなわち、キャビネット本体３には、天井部３０、底部３１、両側の側壁部３２、及び後壁部３３で囲まれた空間を縦長の仕切壁部３５で仕切ることで、内部が収納空間３４となった収納部が複数形成されている。
【００２１】
図４に示されるように、右側の収納空間３４及び中央の収納空間３４は、キャビネット本体３の上下方向の略全長に亘って形成されている。後壁部３３において中央の収納空間３４の背面を構成する部分における上下方向の中間部には、前方に僅かに突出したコンセント設置部３８が形成されている。コンセント設置部３８は、中央の収納空間３４の左右方向の全長に亘っている。
【００２２】
図５（ｂ）に示されるように、コンセント設置部３８は、後壁部３３の一部を前方に突出するよう屈曲させたものであり、側断面形状が後方に開口する略溝形に形成されている。コンセント設置部３８の前面部には、コンセント８が設けられている。
【００２３】
コンセント８は、コンセント設置部３８の前面部を前後に貫通している。コンセント８は、差込口が形成された前端部のみがコンセント設置部３８の前面部より前方に位置しており、その他の部分は、コンセント設置部３８の前面部から後方に突出している。すなわち、コンセント８の大部分は、キャビネット本体３の後方に配置されており、コンセント設置部３８内に収納されている。
【００２４】
キャビネット本体３の底部３１は、後壁部３３の一部を前方に突出するよう屈曲させたものであり、側断面形状が後方に開口する略溝形に形成されている。図４に示されるように、キャビネット本体３の底部３１において右側の収納空間３４に対応する部分には、下方に突出したスイッチ設置部３９が形成されている。
【００２５】
図５（ｃ）に示されるように、スイッチ設置部３９は、底部３１の一部を下方に突出するよう屈曲させたものであり、側断面形状が略Ｌ字状に形成されている。スイッチ設置部３９の前面部には、スイッチ８１が設けられている。
【００２６】
スイッチ８１は、スイッチ設置部３９の前面部を前後に貫通している。スイッチ８１は操作部が設けられた前端部のみがスイッチ設置部３９よりも前方に位置しており、その他の部分は、スイッチ設置部３９の前面部から後方に向かって突出し、スイッチ設置部３９内に収納されている。
【００２７】
図９に示されるように天井部３０は後壁部３３の一部を前方に突出するように側断面略溝形に屈曲させたものであり、後方に開口している。図４に示されるように、天井部３０において、左側の収納空間３４の上面を構成する部分は、右側の収納空間３４の上面や中央の収納空間３４の上面を構成する部分よりも下方に突出した電源設置部３００となっている。すなわち、左側の収納空間３４の上面は、他の収納空間３４の上面よりも低くなっている。なお、左側の収納空間３４の下面（底部３１の上面）は、他の収納空間３４の下面と同レベルに位置している。
【００２８】
電源設置部３００は、図５（ａ）に示されるように、天井部３０の下面部の一部を下方に突出するよう屈曲させたものであり、側断面形状が略Ｌ字状である。電源設置部３００の前面部は、上方の天井部３０の前面よりも後方で且つ収納空間３４の奥部を構成する後壁部３３よりも前方に位置している。電源設置部３００の前面部には、電源部となる電源ボックス８２が設けられている。
【００２９】
電源ボックス８２は、電源設置部３００の前面部を前後に貫通している。電源ボックス８２は、電源設置部３００の前面部に取り付けられる前端部のみが電源設置部３００よりも前方に位置しており、その他の部分は電源設置部３００の前面部から後方に突出している。すなわち、電源ボックス８２の大部分は、キャビネット本体３の後方に配置されており、電源設置部３００内に収納されている。
【００３０】
電源ボックス８２には、図６に示されるようにキャビネット本体３の背面側に配置されたリード線８３を介してスイッチ８１及びコンセント８０が電気接続されている。
【００３１】
照明装置４は、図１〜図３に示されるようにキャビネット本体３の前部（前面側）に設けられている。本実施形態ではキャビネット１の左右に並ぶ収納空間３４の間の部位である各仕切壁部３５に照明装置４が設けられている。
【００３２】
図７に示されるように、各照明装置４は仕切壁部３５の前面に設けられた縦長のベース７を介してキャビネット本体３に取り付けられている。ベース７は、断面形状が前方に開口する溝形に形成されており、溝奥部を構成する奥片部７１と、奥片部７１の両側から前方に突出した側片部７０とを有している。ベース７には両側片部７０と奥片部７１とで前方及び上下に開口する収納溝７２が形成されている。
【００３３】
図１４に示されるように、キャビネット本体３の天井部３０の上面において各仕切壁部３５に対応する箇所には、下方に凹んだ凹部３７が形成されている。換言すれば、天井部３０の上面において、凹部３７以外の箇所は、凹部３７の底面より上方に突出した突出体３０１となっている。凹部３７は平面視で前後方向に長い矩形状に形成されており、上方及び前方に開口している。
【００３４】
図７及び図１４に示されるように、キャビネット本体３の天井部３０及び底部３１において各仕切壁部３５に対応する箇所の前面には、上下に貫通する嵌込溝部３６が形成されている。図１４に示されるように、天井部３０の嵌込溝部３６は、各凹部３７の底面の前端部の一側端部を構成する部分に形成されており、凹部３７の底面より上方に開口している。また、図７に示される底部３１の各嵌込溝部３６は、底部３１の下面より下方に開口している。
【００３５】
ベース７の奥片部７１は、仕切壁部３５の前面に沿って配置されている。図１４に示されるように、ベース７の上端部は、キャビネット本体３の天井部３０の嵌込溝部３６に嵌め込まれており、ベース７の収納溝７２は凹部３７の底面より上方に開口している。図７に示されるように、ベース７の下端部はキャビネット本体３の底部３１の嵌込溝部３６に嵌め込まれており、ベース７の収納溝７２は底部３１の下面より下方に開口している。
【００３６】
ベース７の奥片部７１は、前方より仕切壁部３５にねじ止めされている。これにより、キャビネット本体３において左右に並ぶ収納空間３４の間の部位である仕切壁部３５には、前方に開口する収納溝７２が設けられている。
【００３７】
照明装置４は、図１０〜図１２に示されるように、ホルダー４０、導光部材４１、下キャップ４２、上キャップ４３、光源ブロック４４、放熱シート４５、放熱板４６、表面カバー４７、及び放熱板カバー４８を有している。このうち、放熱板４６は光源ブロック４４で発生した熱を放熱する放熱部を構成し、放熱板カバー４８は放熱部である放熱板４６を覆う放熱部カバーを構成している。
【００３８】
図１２に示されるように、ホルダー４０は縦長の部材であり、その上下長さはベース７と略同じである。ホルダー４０には、前方に開口する保持溝部４００が上下に亘って形成されている。
【００３９】
導光部材４１は縦長棒状に形成され、ホルダー４０と略同じ長さを有している。導光部材４１は、例えばアクリル樹脂やポリカーボネート樹脂等の透明な樹脂を用いて形成されており、透光性を有している。導光部材４１は、図７に示されるようにホルダー４０の保持溝部４００に嵌め込まれてホルダー４０に保持されている。
【００４０】
導光部材４１の上端面（図１２参照）は、ホルダー４０の上方に露出している。導光部材４１の上端面は、光源ブロック４４が有する図示しない点光源から発せられた光が入射する入光部４１０を構成している。
【００４１】
図７に示されるように、導光部材４１の後面には、反射部４１１が設けられている。反射部４１１は、例えば導光部材４１の後面に印刷や蒸着によって反射性の物質を設けたり、微細な凹凸を設けたり、二色成形によって反射部分を設けたりすることによって形成される。入光部４１０から導光部材４１に入射した光は、導光部材４１の内部を下方に向かって進行する過程で反射部４１１において前側に反射するようになっている。
【００４２】
導光部材４１の前面は、反射部４１１で反射した光を前側に出射する出光部４１２を構成している。出光部４１２は、ホルダー４０の前方に露出している。
【００４３】
図１１に示される下キャップ４２は、ホルダー４０の下端面に沿って配置されている。下キャップ４２は、ねじ止めによってホルダー４０の下端部に取り付けられている。下キャップ４２は、ホルダー４０に保持された導光部材４１の直下に位置し、導光部材４１の下方への移動を規制している。
【００４４】
図１２に示される上キャップ４３は、ホルダー４０の上端部に被せるように嵌め込まれている。上キャップ４３は、後述のビス５０によりホルダー４０に固定されている。上キャップ４３は、ホルダー４０に保持された導光部材４１の直上に位置し、導光部材４１の上方への移動を規制する。
【００４５】
上キャップ４３において導光部材４１の入光部４１０に対向する箇所には、上下に貫通する孔又は切欠部分で構成された窓部４３０が形成されている。上キャップ４３上には、光源ブロック４４が有する回路基板４４０がその一面を下に向けて載置されており、回路基板４４０の下面の一部は窓部４３０に対向している。
【００４６】
回路基板４４０は、図６に示されるようにキャビネット本体３の背面側に配置されたリード線８３を介して離れた位置に配置された電源ボックス８２に電気接続されている。電源ボックス８２から照明装置４の回路基板４４０に対する電力供給の有無は、スイッチ８１の操作により切り替え可能となっている。すなわち、電源ボックス８２は、照明装置４の電源として機能し、スイッチ８１は照明装置４のスイッチとして機能する。
【００４７】
図１２に示される回路基板４４０には、前記点光源が設けられている。前記点光源は発光ダイオード（ＬＥＤ（Light  Emitting  Diode））であって、回路基板４４０の下面において窓部４３０に臨む部分に、下方に光を照射する向きで実装されている。この発光ダイオードは、上キャップ４３の窓部４３０に配置され、導光部材４１の入光部４１０に対向している。この発光ダイオードと回路基板４４０とで、照明装置４の光源ブロック４４が構成されている。この発光ダイオードの発光の有無は、スイッチ８１の操作により切替可能となっている。なお、本実施形態の発光ダイオードは光源ブロック４４の発熱量を抑えるために回路基板４４０に一つだけ設けられているが、複数設けられてもよい。
【００４８】
回路基板４４０の上面には、放熱シート４５が積層されている。放熱シート４５は、例えばシリコーン等の熱伝導性の優れた材料によって形成されている。
【００４９】
放熱板４６は、放熱性の優れた材料、例えばアルミニウム、鉄、銅等の金属によって形成されている。放熱板４６は、前後方向に長い略矩形の平板状に形成されており、平面視において導光部材４１や回路基板４４０よりも面積が大きい。
【００５０】
放熱板４６の前端部の一方の側端部は、前方に突出した突出部４６０となっている。平面視略矩形状の放熱板４６の突出部４６０側の角部において、突出部４６０を含めた前側の部分は挟持部４６１となり、挟持部４６１よりも後側の部分は取付部４６２となっている。
【００５１】
放熱板４６の取付部４６２は、上キャップ４３上に直接載置されている。取付部４６２には固着具である複数のビス５０が上方から挿通され、これらビス５０が上キャップ４３を通してホルダー４０にねじ込まれている。これにより、放熱板４６は、ホルダー４０に取り付けられている。また、上キャップ５３は、ホルダー５０とこれにビス７０で取り付けられた固定部５６２の両者で上下に挟み込まれている。
【００５２】
放熱板４６の挟持部４６１は、放熱シート４５を介して回路基板４４０上に配置されており、挟持部４６１と上キャップ４３によって回路基板４４０と放熱シート４５が上下に挟み込まれている。これにより、放熱板４６は、放熱シート４５を介して光源ブロック４４の発熱部分となる回路基板４４０に熱的に接続されている。なお、放熱板４６は回路基板４４０との絶縁状態を維持しながら熱的に接続されるものであれば、回路基板４４０と直接接合されてもよいし、放熱シート４５以外の部材を介して回路基板４４０に接続されるものであってもよい。
【００５３】
光源ブロック４４の前記発光ダイオード（点光源）の発光に伴い、該発光ダイオード及びこれが実装された回路基板４４０は発熱する。このように光源ブロック４４において発生した熱は、放熱シート４５を介して放熱板４６に伝わり、放熱板４６から放散されるようになっている。
【００５４】
表面カバー４７は縦長であり、その長さはホルダー４０や導光部材４１と略同じである。図７に示されるように表面カバー４７は断面形状が後方に開口する溝形に形成されており、前面を構成する前片部４７０と、前片部４７０の両側から後方に突出した掛止片部４７１を有している。
【００５５】
表面カバー４７は、両掛止片部４７１をホルダー４０の前部に掛止することで、導光部材４１の前面を覆うようにホルダー４０に取り付けられている。表面カバー４７は透光性を有し、導光部材４１の出光部４１２から出射された光は表面カバー４７を透してキャビネット本体３の前側に出射されるようになっている。
【００５６】
図１２、図１３等に示される放熱板カバー４８は、例えば放熱板４６よりも熱伝導性の低い合成樹脂等の材料によって形成されている。放熱板カバー４８は、平面視で前後方向に長い略矩形状で下方に開口する箱状に形成されている。放熱板カバー４８は平面視においてキャビネット本体３の上面に形成された凹部３７と略同大同形である。
【００５７】
図１３に示されるように、放熱板カバー４８は、天面部４８０、天面部４８０の前縁部から下方に突出した前面部４８１、天面部４８０の後縁部から下方に突出した後面部４８２、及び天面部４８０の両側の縁部から下方に突出した側面部４８３を有している。
【００５８】
放熱板カバー４８には、天面部４８０、前面部４８１、後面部４８２、及び両側面部４８３で形成された下方に開口する凹所４８５が形成されている。図９に示されるように、放熱板カバー４８は、放熱板４６に被せるように嵌め込まれており、凹所４８５には放熱板４６の略全部が収納されている。なお、図示例の放熱板４６は、下端部のみ凹所４８５から僅かに下方に突出しているが、その全部が凹所４８５に収納されてもよい。
【００５９】
図１３に示されるように、放熱板カバー４８の前面部４８１において放熱板４６の突出部４６０に対応する側端部は、水平断面形状が後方に開口する溝形であって前方に突出した突曲部４８４となっている。突曲部４８４には放熱板４６の突出部４６０が収納されている。
【００６０】
放熱板カバー４８の各側面部４８３の下縁の前後には、下方に突出する掛止部４８６が形成されている。各掛止部４８６の下部には、放熱板カバー４８の内側方（左右方向の内側）に向かって突出した爪部４８７が形成されている。図８に示されるように、放熱板カバー４８の各掛止部４８６の爪部４８７は、放熱板４６の対応する側縁部の下面に掛止されている。これにより放熱板カバー４８は放熱板４６に取り付けられている。
【００６１】
図７に示されるように、照明装置４のホルダー４０は、ベース７の収納溝７２に嵌め込まれている。ホルダー４０の後面両側には、後方に突出した引掛片部４０１が形成されている。各引掛片部４０１は、ベース７の対応する側片部７０に形成された突起７３に掛止されている。これにより、ホルダー４０は前方への移動が規制されている。ベース７の各側片部７０には外側方から固着具としてのビス５１（図１参照）が挿通され、各ビス５１はホルダー４０にねじ込まれている。これによりホルダー４０はベース７に取り付けられている。
【００６２】
図７に示されるように、キャビネット本体３に取り付けられた照明装置４は、ホルダー４０の前部、及びここに配置された導光部材４１の大部分が、キャビネット本体３の天井部３０の前面や底部３１の前面よりも前方に配置されている。
【００６３】
図１に示されるように、キャビネット本体３の凹部３７には、照明装置４の放熱板カバー４８が嵌め込まれており、放熱板カバー４８と放熱板４６は凹部３７に配置されている。
【００６４】
放熱板カバー４８は前方に突出した突曲部４８４を除く部分が凹部３７に収納され、放熱板４６は突出部４６０を除く部分が凹部３７に収納されている。つまり、放熱板カバー４８及び放熱板４６は略全部が凹部３７に収納されている。
【００６５】
図１２に示されるように、放熱板カバー４８の天面部４８０には、左右方向に長く下方に凹んだ凹溝部４８９が前後方向に複数形成されている。各凹溝部４８９の底部には、上下に貫通する連通孔４８８が形成されている。各連通孔４８８は、凹溝部４８９の底部の後縁に沿って設けられた左右に長いスリット状の孔である。各連通孔４８８は、放熱板４６の上方に位置し、放熱板４６で生じた熱は、各連通孔４８８を通じて放熱板カバー４８の上方に排出されるようになっている。
【００６６】
図１に示されるように、放熱板カバー４８の上面は、キャビネット本体３の天井部３０の凹部３７以外の上面、すなわち突出体３０１の上面よりも僅かに低い位置にある、或いは突出体３０１の上面と略面一である。このため、放熱板カバー４８は、キャビネット本体３の上面から上方に突出しない。
【００６７】
放熱板カバー４８の突出部４６０を除く前面部４８１は、天井部３０の前面よりもやや後方に位置している、或いは天井部３０の前面と面一である。
【００６８】
図９に示されるように、放熱板４６の下面に掛止された放熱板カバー４８の各掛止部４８６の下端（爪部４８７の下端）は、天井部３０の上面の一部となる凹部３７の底面に当接している或いは凹部３７の底面の近傍に配置されている。これにより、放熱板４６の下面と凹部３７の底面との間には、放熱板４６の直下に位置する空間１２（隙間）が形成されている。すなわち、放熱板カバー４８の各掛止部４８６の一部である爪部４８７は、放熱板４６の下面と凹部３７の底面との間に空間１２を形成するためのスペーサーとして機能している。
【００６９】
図８に示されるように、放熱板カバー４８の突出部４６０を除く前面部４８１と、凹部３７の底面の前縁部との間には開口１０が形成されている。放熱板４６直下の空間１２は、開口１０からキャビネット本体３の外方となる前方に開放されており、キャビネット本体３の前方に連通している。このため、放熱板４６で生じた熱は、空間１２から開口１０を経てキャビネット本体３の外部に排出されるようになっている。
【００７０】
図７に示されるように、ベース７の奥片部７１と両側片部７０で構成された収納溝７２内において、収納溝７２に配置された導光部材４１の後側には、通気路５４が形成されている。通気路５４は、収納溝７２の内面とホルダー４０の後面とで囲まれた空間であって、縦長である。通気路５４は収納溝７２の上下方向の略全長に亘って形成されている。
【００７１】
図７や図１１に示されるように、ホルダー４０の下端部に設けられた下キャップ４２は、ベース７の奥片部７１よりも隙間５３を介して前方に位置している。通気路５４の下端部は、隙間５３からキャビネット本体３の外方となる下方に開放されており、キャビネット本体３の下方に連通している。このため、通気路５４には、隙間５３からキャビネット本体３の外部に存在する空気が導入されるようになっている。すなわち、隙間５３は通気路５４にキャビネット本体３の外部の空気を取り入れる吸気口となっている。
【００７２】
図９に示されるように、ホルダー４０上に配置された上キャップ４３の後部は、ホルダー４０の上端面よりも隙間５２を介して上方に位置している。通気路５４の上端部は、隙間５２を介して放熱板４６直下の空間１２に連通している。このため、通気路５４に存在する空気は、通気路５４を上昇した後、隙間５２を介して空間１２に導入され、この後、空間１２から開口１０を介してキャビネット本体３の前方に導出されるようになっている。
【００７３】
また、放熱板カバー４８の各掛止部４８６の爪部４８７は、放熱板４６の下面と凹部３７の底面との間に配置されているため、放熱板カバー４８に下向きの力が加わったときにこの力を各掛止部４８６を介して凹部３７の底面に伝える。このため、例えば放熱板カバー４８上に物が載置される等した場合に、放熱板カバー４８や放熱板４６が下方に押し込まれて変形等することを防止できる。
【００７４】
図２に示される各扉６は前面が鏡面となった鏡扉である。図３に示されるように各扉６はキャビネット本体３の収納空間３４毎に設けられている。各扉６の吊元となる一側端部の上端部と下端部は、蝶番１１を介してキャビネット本体３の天井部３０の前面及び底部３１の前面の夫々に取り付けられている。これにより、各扉６は対応する収納空間３４を閉塞する位置から収納空間３４の前方を開放する位置まで左右に回動自在となっている。これら扉６は三面鏡として用いられる。なお、各扉６は、キャビネット本体３の天井部３０及び底部３１の前側も覆う。
【００７５】
キャビネット１に設けられた各照明装置４は、スイッチ８１を操作して前記発光ダイオードを発光させることで導光部材４１からキャビネット１の前側に光を発する。すなわち、前記発光ダイオードから照射された光は、導光部材４１の上端面である入光部４１０から導光部材４１に導入され、この後、導光部材４１の下端側に向かう過程で反射部４１１において前側に反射する。この光は出光部４１２から前側に出射され、隣り合う扉６の間に位置する表面カバー４７を透してキャビネット１の前側に照射される。これにより、扉６の前面に設けられた鏡面を利用する利用者は、出光部４１２から出射された光を利用して、化粧や洗面等を行うことができる。
【００７６】
このように照明装置４において発光ダイオードを発光させたときには、発光ダイオード及びこれが設けられた回路基板４４０が発熱する。この熱は放熱シート４５を介して、キャビネット本体３の外面である上面に設けられた放熱板４６に伝えられ、放熱板４６において放熱されるようになっている。
【００７７】
以上説明した本実施形態のキャビネット１は、照明装置４が、点光源（発光ダイオード）と、点光源が設けられた回路基板４４０と、キャビネット本体３の前部に設けられた縦長の導光部材４１とを有している。導光部材４１は、前面が出光部４１２となり且つ上端部が点光源から発せられた光が導入される入光部４１０となり、入光部４１０から導入された光を前側に反射して出光部４１２から出射するものである。このため、点光源を発光させることで、発光ダイオードから照射された光を導光部材４１の前側に出射して、キャビネット本体３の前方を照らすことができる。そして、照明装置４は、回路基板４４０に熱的に接続された放熱板４６（放熱部）を有し、放熱板４６はキャビネット本体３の上面に設けられている。この構成により、回路基板４４０や発光ダイオードで発生した熱をキャビネット本体３の外面である上面に設けられた放熱板４６（放熱部）に伝えて放熱することができる。このため、照明装置４の利用時においては、発光ダイオードや回路基板４４０が設けられた部分に熱が籠もり難くなり、熱による照明装置４の不具合等が生じ難くなる。また、放熱板４６をキャビネット本体３の上面に設けたことにより、放熱板４６が利用者に触られ難くなり、これにより安全性を高めることができる。
【００７８】
また、本実施形態では、放熱板４６の直下にキャビネット本体３の外方に開放された空間１２が形成されている。キャビネット本体３には収納空間３４が左右に複数並べて設けられている。キャビネット本体３において左右に並ぶ収納空間３４の間の仕切壁部３５には、縦長で前方に開口する収納溝７２が設けられ、収納溝７２には導光部材４１が配置されている。放熱板４６の直下にはキャビネット本体３の外方に向けて開放された空間１２が形成されている。収納溝７２内における導光部材４１の後側に通気路５４が形成されている。通気路５４の下端部はキャビネット本体３の外方に開放されている。通気路５４の上端部は空間１２に連通している。この構成により、キャビネット本体３の外部の空気を通気路５４に下端部から導入し、この空気を空間１２を介してキャビネット本体３の外部に放出することができる。このため、放熱板４６の下面とキャビネット本体３の上面との間に形成された空間１２にある熱を効率良く放出することができ、これにより回路基板４４０が設けられた部分には、熱が一層籠もり難くなる。
【００７９】
また、本実施形態では、回路基板４４０に電気接続された電気機器（電源ボックス８２）を備えており、この電気機器がキャビネット本体３の後方に設けられている。このため、電気機器をキャビネット１の収納空間３４の利用にあたって邪魔になり難い位置に配置することができる。特に本実施形態の電気機器である電源ボックス８２は、キャビネット本体３の左側の収納空間３４の上方に配置されているため、当該収納空間３４を利用するにあたって邪魔になり難い。また、このように電気機器をキャビネット本体３の後方に設けることで、電気接続部分に利用者の手が接触し難くなり、安全性を高めることもできる。
【００８０】
なお、本実施形態では、電源ボックス８２の大部分がキャビネット本体３の後方に配置されているが、電源ボックス８２の全部がキャビネット本体３の後方に配置されてもよい。すなわち、電源ボックス８２の少なくとも一部が、キャビネット本体３の後方に配置されていればよい。
【００８１】
また、本実施形態では、キャビネット本体３の上面に上方に突出した突出体３０１が設けられ、突出体３０１の上端が放熱板４６よりも上方に配置されている。このため、放熱板４６や放熱板４６の上面を覆う放熱板カバー４８を、突出体３０１の上端から上方に突出しないようにすることができる。従って、放熱カバー４８や放熱板４６に、キャビネット本体３の上面において凹部３７以外の箇所に載置した物の荷重が加わって変形等することを防止できる。
【００８２】
なお、本実施形態ではキャビネット１の上面に放熱板４６を覆う放熱板カバー４８を設けたが、放熱板カバー４８は省略可能である。
【００８３】
また、本実施形態では、キャビネット本体３の上面に凹部３７を形成して突出体３０１を設けたが、キャビネット本体３が木製等である場合、例えば図１５に示されるようにキャビネット本体３の上面に、キャビネット本体３とは別部材のスペーサー８５を取り付け、スペーサー８５によって突出体３０１を構成してもよい。
【００８４】
図１５に示される第二実施形態のキャビネット１は一面鏡であって、キャビネット本体３の前側には、扉６が一枚だけ設けられている。キャビネット本体３の両側には、照明装置４が設けられている。照明装置４の基本的構成は、第一実施形態と同じであるため詳細な説明は省略する。
【００８５】
スペーサー８５は左右に長い矩形板状に形成されており、キャビネット本体３の天井部３０の水平な上面に沿った状態で天井部３０に取り付けられている。スペーサー８５の水平な上面は、図１７に示されるように、キャビネット本体３の上面に設けられた放熱板４６の上面及びこれを覆う放熱板カバー４８の上面よりも上方に位置している。また、スペーサー８５は放熱板４６及び放熱板カバー４８から側方に離れた位置に配置されており、放熱板４６の熱はスペーサー８５に伝わり難くなっている。
【００８６】
このように突出体３０１をスペーサー８５で構成した場合も、放熱板４６や放熱板カバー４８を、突出体３０１の上端から上方に突出しないようにすることができる。また、例えば図１６に示されるように、キャビネット本体３の上方に天袋等の別の設置物８４を設置するときには、設置物８４を突出体３０１の上面に当接又は近傍に位置させて収まりよく配置することもできる。
【００８７】
ここで、スペーサー８５の上面は、放熱板カバー４８の上面と同レベルに位置させてもよいが、図１７に示されるように放熱板カバー４８よりも上方に位置させることが好ましい。このようにすると、放熱板カバー４８の上面（放熱板４６の上面）と設置物８４の下面との間に放熱用の隙間８６を形成することができ、放熱板４６で発生した熱を放散させやすくなる。
【００８８】
また、前記実施形態では回路基板４４０や発光ダイオードで発生した熱を放熱する放熱部を放熱板４６としたが、放熱部としてはこれに限られず、例えば放熱部としてフィン状のもの等を採用してもよい。
【００８９】
また、本実施形態では通気路５４の下端部をキャビネット１の下方に開口させたが、キャビネット本体３の外部に通じるものであれば、例えばキャビネット１の前方に開口させてもよい。また、本実施形態では、キャビネット本体３の上面と放熱板４６の下面との間に形成された空間１２をキャビネット本体３の前方に開口させたが、この空間１２はキャビネット本体３の外部に通じるものであれば側方や後方等の前方以外の方向に開口するものであってもよい。また、本実施形態の通気路５４や空間１２は省略してもよい。
【００９０】
また、本実施形態では、放熱板４６をキャビネット本体３の上面に形成された凹部３７に設けたが、凹部３７が形成されていないキャビネット本体３の上面に沿って放熱板４６を設けても構わない。
【００９１】
また、本実施形態ではキャビネット１に二つの照明装置４を設けたが、キャビネット１には照明装置４を一つだけ設けてもよい。また、キャビネット本体３には、収納空間３４を二又は四以上設けてもよいし、一つだけ設けてもよい。また、扉６は鏡扉以外の扉であってもよく、また、扉６を省略したキャビネットであってもよい。
【符号の説明】
【００９２】
１  キャビネット
３  キャビネット本体
４  照明装置
１２  空間
３４  収納空間
３５  仕切壁部（左右に並ぶ収納空間の間の部位）
４１  導光部材
４６  放熱板（放熱部）
５４  通気路
７４  収納溝
４１０  入光部
４１２  出光部
４４０  回路基板
【図１】
2014192072.tif 000003
【図２】
2014192072.tif 000004
【図３】
2014192072.tif 000005
【図４】
2014192072.tif 000006
【図５】
2014192072.tif 000007
【図６】
2014192072.tif 000008
【図７】
2014192072.tif 000009
【図８】
2014192072.tif 000010
【図９】
2014192072.tif 000011
【図１０】
2014192072.tif 000012
【図１１】
2014192072.tif 000013
【図１２】
2014192072.tif 000014
【図１３】
2014192072.tif 000015
【図１４】
2014192072.tif 000016
【図１５】
2014192072.tif 000017
【図１６】
2014192072.tif 000018
【図１７】
2014192072.tif 000019